(57)【要約】  ＤＪのパフォーマンス時および仕込み作業時における選曲を効率良く行うことが可能なコンテンツ処理装置、コンテンツ処理装置の処理方法およびプログラムを提供することを課題とする。本発明のコンテンツ処理装置を適用したＰＣ１は、各楽曲に関連するコンテンツ情報の一覧であるプレイリストを、１画面に複数表示する表示部１２０と、表示部１２０の表示制御を行う表示制御部１１０と、複数のプレイリストの編集操作を行う操作部１３０と、操作部１３０の操作にしたがって、複数のプレイリストの編集を行うプレイリスト編集部１４０と、を備え、プレイリスト編集部１４０は、プレイリスト間におけるコンテンツ情報の移動、複数のプレイリストの結合、トラックリストからプレイリストへのコンテンツ情報の移動、を含む編集が可能であることを特徴とする。
2015121889.tif 000002
【特許請求の範囲】
【請求項１】
各コンテンツに関連するコンテンツ情報の一覧であるプレイリストを、１画面に複数表示するプレイリスト表示部を備えたことを特徴とするコンテンツ選択装置。
【請求項２】
複数の前記プレイリストの編集を行う編集部をさらに備えたことを特徴とする請求項１に記載のコンテンツ選択装置。
【請求項３】
前記編集部は、任意のプレイリスト内における任意のコンテンツ情報を、他のプレイリスト内の任意の位置に追加することを特徴とする請求項２に記載のコンテンツ選択装置。
【請求項４】
複数の前記プレイリストと同一画面上に、前記プレイリストに分類されていないコンテンツの前記コンテンツ情報の一覧であるトラックリストを表示可能なトラックリスト表示部をさらに備え、
前記編集部は、前記トラックリスト内における任意のコンテンツ情報を、前記プレイリスト内における任意の位置に追加することを特徴とする請求項２に記載のコンテンツ選択装置。
【請求項５】
前記編集部は、複数の前記プレイリストを結合した結合プレイリストを生成することを特徴とする請求項４に記載のコンテンツ選択装置。
【請求項６】
操作部をさらに備え、
前記編集部は、前記操作部の操作にしたがって編集を行うことを特徴とする請求項２ないし５のいずれか１項に記載のコンテンツ選択装置。
【請求項７】
複数の前記プレイリストを表示する複数表示モードと、前記結合プレイリストを表示する結合表示モードのいずれかに切り替える表示制御部をさらに備えたことを特徴とする請求項５に記載のコンテンツ選択装置。
【請求項８】
前記プレイリストは、リスト名を表示するリスト名領域と、各コンテンツの前記コンテンツ情報を表示するコンテンツ情報領域と、から成り、
前記表示制御部は、前記リスト名領域だけを表示するリスト名表示モードと、前記リスト名領域および前記コンテンツ情報領域を表示する全体表示モードのいずれかに切り替えることを特徴とする請求項７に記載のコンテンツ選択装置。
【請求項９】
前記表示制御部は、前記リスト名領域の選択操作により、当該リスト名領域を含むプレイリスト内の全コンテンツ情報を、前記トラックリスト表示部に表示させることを特徴とする請求項８に記載のコンテンツ選択装置。
【請求項１０】
１画面に表示される複数の前記プレイリストから成るプレイリストバンクを、複数記憶するバンク記憶部をさらに備え、
前記表示制御部は、選択された任意のプレイリストバンクに含まれる複数の前記プレイリストを前記プレイリスト表示部に表示させることを特徴とする請求項７に記載のコンテンツ選択装置。
【請求項１１】
前記バンク記憶部に記憶されている複数の前記プレイリストバンクの一括出力、前記プレイリストバンク単位の出力、前記プレイリスト単位の出力のいずれかを選択する出力選択部と、
前記出力選択部の選択にしたがって、情報を出力する出力部と、をさらに備えたことを特徴とする請求項１０に記載のコンテンツ選択装置。
【請求項１２】
各コンテンツに関連するコンテンツ情報の一覧であるプレイリストを、１画面に複数表示するプレイリスト表示ステップを実行することを特徴とするコンテンツ選択装置の制御方法。
【請求項１３】
コンピューターに、請求項１２に記載のコンテンツ選択装置の制御方法を実行させるためのプログラム。
【発明の詳細な説明】
【技術分野】
【０００１】
本発明は、プレイリストから所望のコンテンツを選択するコンテンツ選択装置、コンテンツ選択装置の制御方法およびプログラムに関する。
【背景技術】
【０００２】
この種の技術として、例えば特許文献１が知られている。特許文献１は、ユーザーの嗜好に合ったプレイリストを生成し、これを提示するものである。このように、特許文献１を含め、一般的には表示画面上に１つだけプレイリストを表示する。【０００３】
ところで、プレイリストを表示する代表的な電子機器として、ＤＪ機器が知られている。ＤＪ（Disc  Jockey）は、現場でのパフォーマンス時やパフォーマンス前の仕込み作業（前準備）において、演奏する楽曲を選択する。例えば、パフォーマンス時には、自分の持ち時間の中で、（１）前に演奏していたＤＪとの交代直後に演奏する楽曲、（２）徐々に盛り上げていくための楽曲、（３）盛り上げのピーク時に演奏する楽曲、（４）次に演奏するＤＪに交代する前に演奏する楽曲、などパフォーマンスの流れを意識して楽曲を選択する。
【先行技術文献】
【特許文献】
【０００４】
【特許文献１】特開２０１０−２６７３３５号公報
【発明の概要】
【発明が解決しようとする課題】
【０００５】
ところが、（１）〜（４）のタイミングで再生する楽曲を１つのプレイリストにまとめると、楽曲数が多くなるため、所望の楽曲を探しづらいといった問題がある。また、（１）〜（４）のタイミングで再生する楽曲を別々のプレイリストとして用意すると、パフォーマンス中にプレイリストの切り替え作業が必要となり、操作が煩雑である。特に、ＤＪの演奏は、楽曲を途切れさせることなく、且つスクラッチ操作などのエフェクト操作と並行して、現場の雰囲気に合った楽曲を選択しなければならないため、プレイリストを切り替える手間は、ＤＪにとって大きな負担となる。【０００６】
本発明は、上記の問題点に鑑み、ＤＪのパフォーマンス時および仕込み作業時における選曲を効率良く行うことが可能なコンテンツ処理装置、コンテンツ処理装置の処理方法およびプログラムを提供することを課題とする。
【課題を解決するための手段】
【０００７】
本発明のコンテンツ選択装置は、各コンテンツに関連するコンテンツ情報の一覧であるプレイリストを、１画面に複数表示するプレイリスト表示部を備えたことを特徴とする。【０００８】
上記のコンテンツ選択装置において、複数のプレイリストの編集を行う編集部をさらに備えたことを特徴とする。【０００９】
上記のコンテンツ選択装置において、編集部は、任意のプレイリスト内における任意のコンテンツ情報を、他のプレイリスト内の任意の位置に追加することを特徴とする。【００１０】
上記のコンテンツ選択装置において、複数のプレイリストと同一画面上に、プレイリストに分類されていないコンテンツのコンテンツ情報の一覧であるトラックリストを表示可能なトラックリスト表示部をさらに備え、編集部は、トラックリスト内における任意のコンテンツ情報を、プレイリスト内における任意の位置に追加することを特徴とする。【００１１】
上記のコンテンツ選択装置において、編集部は、複数のプレイリストを結合した結合プレイリストを生成することを特徴とする。【００１２】
上記のコンテンツ選択装置において、操作部をさらに備え、編集部は、操作部の操作にしたがって編集を行うことを特徴とする。【００１３】
上記のコンテンツ選択装置において、複数のプレイリストを表示する複数表示モードと、結合プレイリストを表示する結合表示モードのいずれかに切り替える表示制御部をさらに備えたことを特徴とする。【００１４】
上記のコンテンツ選択装置において、プレイリストは、リスト名を表示するリスト名領域と、各コンテンツのコンテンツ情報を表示するコンテンツ情報領域と、から成り、表示制御部は、リスト名領域だけを表示するリスト名表示モードと、リスト名領域およびコンテンツ情報領域を表示する全体表示モードのいずれかに切り替えることを特徴とする。【００１５】
上記のコンテンツ選択装置において、表示制御部は、リスト名領域の選択操作により、当該リスト名領域を含むプレイリスト内の全コンテンツ情報を、トラックリスト表示部に表示させることを特徴とする。【００１６】
上記のコンテンツ選択装置において、１画面に表示される複数のプレイリストから成るプレイリストバンクを、複数記憶するバンク記憶部をさらに備え、表示制御部は、選択された任意のプレイリストバンクに含まれる複数のプレイリストをプレイリスト表示部に表示させることを特徴とする。【００１７】
上記のコンテンツ選択装置において、バンク記憶部に記憶されている複数のプレイリストバンクの一括出力、プレイリストバンク単位の出力、プレイリスト単位の出力のいずれかを選択する出力選択部と、出力選択部の選択にしたがって、情報を出力する出力部と、をさらに備えたことを特徴とする。【００１８】
本発明のコンテンツ選択装置の制御方法は、各コンテンツに関連するコンテンツ情報の一覧であるプレイリストを、１画面に複数表示するプレイリスト表示ステップを実行することを特徴とする。【００１９】
本発明のプログラムは、コンピューターに、上記のコンテンツ選択装置の制御方法を実行させることを特徴とする。
【図面の簡単な説明】
【００２０】
【図１】本発明の一実施形態に係るＤＪシステムのシステム構成図である。
【図２】ＤＪ用アプリケーションによるＧＵＩレイアウトの一例を示す図である。
【図３】個別プレイリスト領域の拡大表示例を示す図である。
【図４】ＰＣの機能構成を示すブロック図である。
【図５】トラックリスト表示部を非表示にした場合の表示例を示す図である。
【図６】プレイリスト表示部にプレイリストを１つだけ表示した場合の表示例を示す図である。
【図７】結合プレイリストの表示例を示す図である。
【図８】プレイリストのコンテンツ情報領域を非表示にした場合の表示例を示す図である。
【発明を実施するための形態】
【００２１】
以下、本発明の一実施形態に係るコンテンツ選択装置、コンテンツ選択装置の制御方法およびプログラムについて、添付図面を参照しながら詳細に説明する。本実施形態では、本発明のコンテンツ選択装置を、ＤＪシステムＳＹに適用した場合について例示する。また、コンテンツとして楽曲コンテンツ（音楽コンテンツ）を例示する。
【００２２】
図１は、本発明の一実施形態に係るＤＪシステムＳＹのシステム構成図である。ＤＪシステムＳＹは、ＤＪがパフォーマンスを行うための機器群であり、ＰＣ（Personal  Computer）１と、ＤＪコントローラー２と、これらを接続する専用回線３と、から成る。なお、専用回線３は、有線／無線のいずれであっても良い。また、ＰＣ１とＤＪコントローラー２を、ＬＡＮ等のネットワークによって接続しても良い。
【００２３】
ＰＣ１は、ディスプレイ１１、キーボード１２、マウス１３、ハードディスクドライブ１４など、一般的なコンピューターと同様のハードウェアを備えている。また、ハードディスクドライブ１４には、ＤＪ用アプリケーション５がインストールされている。このＤＪ用アプリケーション５は、現場でのパフォーマンスに用いられるだけでなく、パフォーマンス前の仕込み作業にも用いられる。本実施形態では、これらパフォーマンス時および仕込み作業時における選曲（プレイリストの表示・編集）について主に説明する。なお、仕込み作業では、ＰＣ１単体を用いる。また、仕込み作業時は、ＰＣ１のキーボード１２やマウス１３を用いて選曲操作や編集操作を行う。
【００２４】
ＤＪコントローラー２は、ＤＪ用アプリケーション５を操作するための装置であり、ジョグダイヤル２３を含む左右２つのプレーヤー部２１（２１ａ，２１ｂ）を備えている。また、装置中央には、パフォーマンス時において、選曲操作を行うための選曲操作部２２を備えている。
【００２５】
選曲操作部２２は、プッシュボタン２５、タッチパネル２６、ロータリーエンコーダー２７などの操作子を含む。これらの操作子は、プレイリストからの選曲操作、プレイリストの編集操作、選択された楽曲の再生（試聴）を開始／停止する操作、などに用いられる。
【００２６】
なお、ＤＪコントローラー２について、その他の詳細な構成については図示を省略するが、一般的な構成（フェーダー群、ツマミ群、表示画面、入出力インターフェース群等）を備えているものとする。
【００２７】
次に、図２を参照し、パフォーマンス時および仕込み作業時において、ＰＣ１のディスプレイ１１に表示されるＧＵＩ（Graphical  User  Interface）について説明する。当該ＧＵＩは、ＤＪ用アプリケーション５の一機能として表示される。同図に示すように、ＧＵＩは、プレーヤー表示部４１およびブラウズ部４２から成る。
【００２８】
プレーヤー表示部４１は、キューボタン５１、再生／一時停止ボタン５２、第１プレーヤー表示領域５３および第２プレーヤー表示領域５４を含む。第１プレーヤー表示領域５３は、再生中の楽曲の時間表示、ＢＰＭ（Beats  Per  Minute）、全体波形などを表示する。また、第２プレーヤー表示領域５４は、再生中の楽曲の拡大波形、拍位置（ビートグリッド）などを表示する。
【００２９】
一方、ブラウズ部４２は、切り替えボタン表示部４３、フォルダ表示部４４、プレイリスト表示部４５およびトラックリスト表示部４６から成る。また、プレイリスト表示部４５の右側には、プレイリスト表示部４５に表示された複数のプレイリストを結合するための結合ボタン５６が配置されている。詳細については後述する。なお、同図では、プレイリスト表示部４５の下にトラックリスト表示部４６を表示しているが、逆位置であっても良い。
【００３０】
切り替えボタン表示部４３は、４つのバンク切り替えボタン５７と、１つの表示切り替えボタン５８を表示する。バンク切り替えボタン５７は、プレイリスト表示部４５に表示させるプレイリストバンクを切り替えるためのボタンである。本実施形態では、プレイリスト表示部４５に最大４つのプレイリストを表示させることができるが、その最大４つのプレイリストを、１つのプレイリストバンクとして記憶させておくことができる（バンク記憶部１５０，図４参照）。また、プレイリストバンクは、最大４つを記憶させておくことができる。バンク切り替えボタン５７は、各プレイリストバンクに対応しており、選択されたプレイリストバンクに含まれる最大４つのプレイリストが、プレイリスト表示部４５に表示される。一方、表示切り替えボタン５８は、各プレイリストのリスト名だけを表示するか、リスト名とコンテンツ情報の両方を表示するかを切り替えるためのボタンである。
【００３１】
フォルダ表示部４４は、ＰＣ１内にある楽曲ファイルを解析してＤＪ用アプリケーション５に登録した楽曲コレクション、過去に作成したプレイリスト、読み出し可能な記憶デバイス等をツリー形式で表示する。
【００３２】
プレイリスト表示部４５は、バンク切り替えボタン５７により選択されたプレイリストバンクに含まれる１つ〜４つのプレイリストを表示する。プレイリストとは、順序性を有する楽曲リストを意味し、各楽曲ファイルのパスと、再生順序を示す順序情報を含んでいる。また、表示上は、各楽曲に関連するコンテンツ情報を行単位（１行〜複数行）で表し、且つ各コンテンツ情報を列方向に列記したリストとなっている。
【００３３】
また、プレイリスト表示部４５に表示される各プレイリストは、それぞれ独立している。例えば、「プレイリストＡ」と「プレイリストＢ」が存在する場合、各プレイリスト内で再生順序が１，２・・・と定められており、「プレイリストＡ」と「プレイリストＢ」の間に優先順序はない。また、「プレイリストＡ」と「プレイリストＢ」で、共通する楽曲を含んでいても良い。さらに、同じ内容の楽曲リスト、または曲順だけが異なる楽曲リストを、「プレイリストＡ」と「プレイリストＢ」としても良い。なお、プレイリスト表示部４５に表示される個々のプレイリストの表示領域を、以下「個別プレイリスト領域４８（４８ａ，４８ｂ，４８ｃ，４８ｄ）」と称する。
【００３４】
図３は、個別プレイリスト領域４８の拡大図である。個別プレイリスト領域４８は、縦方向において、リスト名領域７１と、コンテンツ情報領域７２に区別される。リスト名領域７１は、リスト名７５を表示すると共に、コンテクストメニューボタン７６と、ソートアイコン７７を表示する。なお、リスト名７５は、キーボード１２等の操作により、適宜編集可能である。
【００３５】
コンテクストメニューボタン７６は、ユーザーにより選択操作が行われると（例えば、マウス１３の操作によりカーソルを付した状態で左クリック操作が行われると）、「ソート」と「プレイリスト表示部から取り除く」の２つの選択肢を含むポップアップを表示する。「プレイリスト表示部から取り除く」が選択された場合、該当する個別プレイリスト領域４８を非表示とする。但し、プレイリストバンクから、そのプレイリスト自体を削除する訳ではない。また、「ソート」が選択された場合は、さらにソート条件の選択肢を表示する。選択肢としては、タイトルやアーティストのアルファベット順、ＢＰＭ順、キー順などが考えられる。ここで、いずれかの選択肢が選択されると、その条件にしたがってコンテンツ情報領域７２をソートする。また、ソートした場合、ソートアイコン７７がＯＦＦ表示からＯＮ表示に切り替わる。
【００３６】
一方、コンテンツ情報領域７２は、各楽曲のコンテンツ情報を列記したものであり、横方向において、アートワーク表示領域７３と、複合コラム領域７４に区別される。また、コンテンツ情報領域７２の右端には、スクロールバー７８が設けられ、各コンテンツ情報のスクロールが可能となっている。
【００３７】
アートワーク表示領域７３は、楽曲のアートワーク（アルバムジャケットの画像など）を表示する。また、特に図示しないが、再生中の楽曲については、アートワーク上にその旨を示すマークを重畳表示する。また、楽曲ファイルの所在が不明な楽曲についても、アートワーク上にその旨を示すマークを重畳表示する。
【００３８】
また、複合コラム領域７４は、タイトル名、アーティスト名、ＢＰＭ、キー等のコンテンツ情報を、２行の複合コラムとしてコンパクトに表示する。なお、複合コラムは、アルバム名や、楽曲に付与されたタグ情報などを含めて表示しても良い。また、複合コラムにどのような情報を表示するかについて、環境設定により設定可能としても良い。なお、当該環境設定は、プレイリスト表示部４５に表示される全てのプレイリストに共通の設定となる。
【００３９】
図２の説明に戻る。トラックリスト表示部４６は、ＤＪ用アプリケーション５に登録された楽曲解析済みの楽曲（トラック）であって、各プレイリストに分類されていない未分類の楽曲の楽曲リストや、プレイリスト表示部４５に表示されている複数のプレイリストのうち、選択されたプレイリストを表示する。また、トラックリスト表示部４６では、検索窓によるフィルタリングや、カテゴリー別に分類表示するカテゴリングフィルターを利用可能となっている。なお、プレイリスト表示部４５では、これらのフィルター機能を利用できない。
【００４０】
また、同図に示すように、トラックリスト表示部４６は、プレイリスト表示部４５と同じ横幅を有しており、４つの個別プレイリスト領域４８ａ，４８ｂ，４８ｃ，４８ｄを表示した場合の各個別プレイリスト領域４８と比較し、横方向に約４倍の情報を表示できる。このため、各楽曲に関連するコンテンツ情報を１行で表する。なお、同図の例では、コンテンツ情報として、タイトル、アルバム、アーティストをテキスト表示しているが、ＢＰＭやキーなどの楽曲解析情報、タグ情報などを含めて表示しても良い。また、コンテンツ情報の一部として、楽曲波形を表示しても良い。さらに、トラックリスト表示部４６に表示するコンテンツ情報を、プレイリスト表示部４５の複合コラムと共通項目としても良い。
【００４１】
ここで、ＧＵＩ上で実行可能なプレイリストの編集操作について説明する。例えば、符号６１の矢印に示すように、フォルダ表示部４４からプレイリスト表示部４５に、所望のプレイリストを追加（アサイン）することができる。なお、プレイリストの追加は、最大４つまでで、４つのプレイリストが表示されている状態では追加不可としても良い。若しくは、４つのプレイリストが表示されている状態でプレイリストが追加された場合、それまで表示されていたプレイリストと入れ替え可能としても良い。
【００４２】
また、符号６２の矢印に示すように、任意のプレイリストに表示された任意のコンテンツ情報を、他のプレイリストの任意の位置に追加（移動またはコピー）することができる。また、特に図示しないが、同じプレイリスト内でも、コンテンツ情報の表示位置（楽曲の再生順序）を入れ替え可能である。また、プレイリストから、コンテンツ情報を削除したり、各プレイリストの表示位置（個別プレイリスト領域４８の位置）を入れ替えたりすることも可能である。
【００４３】
また、符号６３の矢印に示すように、トラックリスト表示部４６に表示された任意のコンテンツ情報を、プレイリスト表示部４５内の任意のプレイリストの任意の位置に追加（移動またはコピー）することができる。また、特に図示しないが、プレイリスト表示部４５内にブランク状態のプレイリストが存在する場合、トラックリスト表示部４６からトラックを追加していくことで、新規プレイリストを作成することもできる。なお、符号６１〜６３に基づくプレイリストの編集結果は、プレイリストバンクのデータに反映される（編集後のプレイリストのデータが記録される）。
【００４４】
また、符号６４の矢印に示すように、プレイリスト表示部４５内の楽曲を、プレーヤー表示部４１にロードし、再生させることができる。また、特に図示しないが、プレイリスト表示部４５またはトラックリスト表示部４６において任意のトラックを選択することにより、その楽曲を再生（試聴）することも可能である。なお、図２に示した符号６１〜６４の操作方法としては、マウス１３やタッチパネル２６を用いたドラッグ＆ドロップ操作が考えられる。
【００４５】
次に、図４を参照し、ＰＣ１の機能構成について説明する。ＰＣ１は、主な機能構成として、表示制御部１１０、表示部１２０、操作部１３０、プレイリスト編集部１４０、バンク記憶部１５０、出力選択部１６０および出力部１７０を備えている。なお、これら各部は、いずれもＤＪ用アプリケーション５によって実現される。
【００４６】
表示制御部１１０は、表示部１２０の表示制御を行う。表示部１２０は、図２に示したＧＵＩ（プレーヤー表示部４１、切り替えボタン表示部４３、フォルダ表示部４４、プレイリスト表示部４５およびトラックリスト表示部４６）を表示する。このうち、プレイリスト表示部４５は、図２に示したように、所定の領域内に複数のプレイリストを表示する（複数表示モード）。また、結合ボタン５６の押下に伴い、複数のプレイリストを結合した結合プレイリストを表示する（結合表示モード，図７参照）。
【００４７】
操作部１３０は、表示モードの切り替え、プレイリストバンクの切り替え、符号６１〜６３に示したプレイリストの編集操作、符号６４に示した再生操作など、各種操作を行う。例えば、表示制御部１１０は、操作部１３０の操作にしたがって、複数のプレイリストを表示する複数表示モードと、結合プレイリストを表示する結合表示モードのいずれかに切り替える。また、表示制御部１１０は、操作部１３０の操作にしたがって、プレイリストのリスト名領域７１だけを表示するリスト名表示モードと、リスト名領域７１およびコンテンツ情報領域７２を表示する全体表示モードのいずれかに切り替える（図３参照）。さらに、表示制御部１１０は、操作部１３０によるリスト名領域７１の選択操作により、当該リスト名領域７１を含むプレイリスト内の全コンテンツ情報を、トラックリスト表示部４６に表示させる（詳細は後述する）。
【００４８】
プレイリスト編集部１４０は、請求項における「編集部」に相当し、各プレイリストにおけるコンテンツ情報の編集など、各種編集を行う。例えば、プレイリスト編集部１４０は、図２の符号６２に示したように、任意のプレイリスト内における任意のコンテンツ情報を、他のプレイリスト内または同一プレイリスト内の任意の位置に追加する。また、プレイリスト編集部１４０は、符号６３に示したように、トラックリスト表示部４６内における任意のコンテンツ情報を、プレイリスト表示部４５内における任意のプレイリストの任意の位置に追加する。さらに、プレイリスト編集部１４０は、結合ボタン５６の操作により、複数のプレイリストを結合した結合プレイリストを生成する。
【００４９】
バンク記憶部１５０は、プレイリスト表示部４５に表示される複数のプレイリストから成るプレイリストバンクを複数記憶する。また、プレイリスト表示部４５の編集結果を不揮発に記憶し、ＰＣ１の次回起動時にも、前回のＤＪ用アプリケーション５を終了した時の表示状態を再現可能となっている。表示制御部１１０は、操作部１３０により選択された任意のプレイリストバンクに含まれる複数のプレイリストをプレイリスト表示部４５に表示させる。
【００５０】
出力選択部１６０は、バンク記憶部１５０に記憶されている「複数のプレイリストバンクの一括出力」、「プレイリストバンク単位の出力」、「プレイリスト単位の出力」のいずれかを選択する。例えば、「プレイリストバンク単位の出力」が選択された場合、出力選択部１６０は、出力対象となるプレイリストバンクをさらに選択する。同様に、「プレイリスト単位の出力」が選択された場合、出力対象となるプレイリストをさらに選択する。出力部１７０は、出力選択部１６０の選択にしたがって、バンク記憶部１５０に記憶された情報を出力する。情報出力先は、例えばＰＣ１に着脱可能な記憶媒体、またはＰＣ１と接続可能な電子機器（プレーヤー等）が考えられる。
【００５１】
次に、図５ないし図８を参照し、具体的な表示例を挙げて、表示制御部１１０およびプレイリスト編集部１４０を補足説明する。例えば、図５は、トラックリスト表示部４６を非表示とした場合の表示例を示している。操作部１３０は、不図示の切り替えボタンまたは環境設定により、トラックリスト表示部４６の表示／非表示を切り替え可能となっている。同図に示すように、トラックリスト表示部４６を非表示とした場合は、各個別プレイリスト領域４８ａ，４８ｂ，４８ｃ，４８ｄの領域（縦方向における長さ）が広くなる。これにより、１画面により多くのコンテンツ情報を表示することができ、選曲操作を効率よく行うことができる。
【００５２】
図６は、プレイリスト表示部４５にプレイリストを１つのみ表示した場合の表示例を示している。この場合、個別プレイリスト領域４８の表示幅（横方向における長さ）が広くなるため、コンテンツ情報領域７２を、複合コラム表示ではなく、１行表示とする。また、特に図示しないが、個別プレイリストを２つ表示した場合も、コンテンツ情報領域７２を１行表示とする。なお、プレイリスト表示部４５に表示するプレイリストの数によらず、複合コラム表示とするか１行表示とするかを、操作部１３０により選択可能としても良い。
【００５３】
図７は、結合プレイリストの表示例を示している。プレイリスト表示部４５に「プレイリストＡ」〜「プレイリストＤ」の４つのプレイリストが表示されている状態で、結合ボタン５６（図２参照）が押下されると、プレイリストＡに含まれる楽曲（曲Ａ，曲Ｂ）、プレイリストＢに含まれる楽曲（曲Ｃ，曲Ｄ）・・・のように、プレイリストの並び順にしたがって、全プレイリストの楽曲を配列した結合プレイリストを表示する。このとき、フォルダ表示部４４では、プレイリストフォルダの直下の階層に新規プレイリストが作成される。その新規プレイリストには、現在選択されているプレイリストバンク内にある全ての楽曲が登録される。なお、結合プレイリストにおいても、コンテクストメニューボタン７６（図３参照）を表示し、ユーザーが選択したソート条件にしたがってソート可能としても良い。また、ソートによって同じ楽曲が連続する場合、１曲のみを残してプレイリストから削除する削除処理を行っても良い。
【００５４】
図８は、表示切り替えボタン５８の押下により、プレイリストのコンテンツ情報領域７２（図３参照）を非表示にした場合の表示例を示している。コンテンツ情報領域７２を非表示にすることで、トラックリスト表示部４６の領域（縦方向における長さ）を広げることができる。なお、各プレイリストのリスト名領域７１ａ，７１ｂ，７１ｃ，７１ｄの選択操作により、各リスト名領域７１を含むプレイリスト内の全コンテンツ情報を、トラックリスト表示部４６に表示させる（ジャンプさせる）ことができる。これにより、プレイリストのコンテンツ情報を広い領域で確認可能となる。また、トラックリスト表示部４６に表示させることで、検索窓によるフィルタリングやカテゴリングフィルターを利用可能となる。なお、リスト名領域７１の選択によるコンテンツ情報の移動表示は、コンテンツ情報領域７２の表示／非表示（表示切り替えボタン５８の状態）によらず、実現可能である。
【００５５】
以上説明したとおり、本実施形態によれば、プレイリスト表示部４５において、複数のプレイリストを同時に表示できるため、ユーザー（ＤＪ）は、より多くの楽曲を瞬時に把握することができる。これにより、現場でのパフォーマンス時や仕込み時における選曲を効率的に行うことができる。また、各プレイリストでは、コンテンツ情報の削除や曲順の入れ替えが可能であると共に、プレイリスト間で楽曲を移動することもできるため、編集が容易である。また、プレイリスト表示部４５では、複数のプレイリストを表示する複数表示モードと、複数のプレイリストを結合した結合プレイリストを表示する結合表示モードと、を切り替え可能であるため、さらに利便性が良い。
【００５６】
また、プレイリスト表示部４５と同一画面上に、トラックリスト表示部４６を設けているため、プレイリストを移動表示させ、フィルター機能を利用することもできる。さらに、トラックリスト表示部４６からプレイリスト表示部４５内の任意のプレイリストにコンテンツ情報を追加（移動またはコピー）して、プレイリストを新規作成することもできる。
【００５７】
なお、以下の変形例を採用可能である。
上記の実施形態では、仕込み用のＰＣとパフォーマンスに用いるＰＣを共通のＰＣ１として説明したが、異なるＰＣであっても良い。その場合、仕込み作業で作成したデータを、ＵＳＢデバイス等の記憶媒体に格納し、パフォーマンス用の機器に提供すれば良い。また、パフォーマンス時には、ＰＣ１とＤＪコントローラー２に代え、ＤＪプレーヤー（ＤＪ専用の再生機器）を用いても良い。この場合、ＤＪプレーヤーの表示画面に、図２に示したＧＵＩまたはその一部（プレイリスト表示部４５）を表示する。また、ＤＪプレーヤーのみならず、ＤＪミキサー（複数の楽曲のミキシング再生を行うＤＪ機器）の表示画面に、これらを表示しても良い。
【００５８】
また、上記の実施形態では、プレイリスト表示部４５においてフィルター機能を利用できない構成としたが、プレイリスト表示部４５およびトラックリスト表示部４６の両方において、フィルタリング機能を利用できる構成としても良い。
【００５９】
また、上記に示したＤＪシステムＳＹ（ＰＣ１）の各構成要素をプログラムとして提供することが可能である。また、そのプログラムを各種記録媒体（ＣＤ−ＲＯＭ、フラッシュメモリー等）に格納して提供することも可能である。すなわち、コンピューターをＤＪシステムＳＹの各構成要素として機能させるためのプログラム、およびそれを記録した記録媒体も、本発明の権利範囲に含まれる。
【００６０】
また、上記の実施形態では、本発明のコンテンツ処理装置をＤＪシステムＳＹに適用した場合を例示したが、ＤＪ機器以外の再生機器（ＣＤ／ＤＶＤプレーヤー等）や各種電子機器に適用しても良い。また、コンテンツとして楽曲コンテンツを例示したが、映像コンテンツなど他のコンテンツを扱う電子機器に本発明を適用しても良い。その他、本発明の要旨を逸脱しない範囲で、適宜変更が可能である。
【符号の説明】
【００６１】
１：ＰＣ  ２：ＤＪコントローラー  ３：専用回線  ５：ＤＪ用アプリケーション  ２１：プレーヤー部  ２２：選曲操作部  ２３：ジョグダイヤル  ２５：停止ボタン  ２６：タッチパネル  ２７：ロータリーエンコーダー  ４１：プレーヤー表示部  ４２：ブラウズ部  ４３：切り替えボタン表示部  ４４：フォルダ表示部  ４５：プレイリスト表示部  ４６：トラックリスト表示部  ４８：個別プレイリスト領域  ５１：キューボタン  ５２：一時停止ボタン  ５３：第１プレーヤー表示領域  ５４：第２プレーヤー表示領域  ５６：結合ボタン  ５７：バンク切り替えボタン  ５８：表示切り替えボタン  ７１：リスト名領域  ７２：コンテンツ情報領域  ７３：アートワーク表示領域  ７４：複合コラム領域  ７５：リスト名  ７６：コンテクストメニューボタン  ７７：ソートアイコン  ７８：スクロールバー  １１０：表示制御部  １２０：表示部  １３０：操作部  １４０：プレイリスト編集部  １５０：バンク記憶部  １６０：出力選択部  １７０：出力部  ＳＹ：ＤＪシステム
【図１】
2015121889.tif 000003
【図２】
2015121889.tif 000004
【図３】
2015121889.tif 000005
【図４】
2015121889.tif 000006
【図５】
2015121889.tif 000007
【図６】
2015121889.tif 000008
【図７】
2015121889.tif 000009
【図８】
2015121889.tif 000010
【国際調査報告】
2015121889.tif 000011
2015121889.tif 000012
2015121889.tif 000013
2015121889.tif 000014